(57)【特許請求の範囲】
【請求項１】
電磁弁であって、
ａ）第１の復帰ばね（２２）の力に抗して極芯へ向かって電磁石により縦方向に運動させられる可動子（２３）が設けられており、
ｂ）補助閉鎖部材（４７）と小さなシール直径を有する補助弁座（４６）とから成る補助弁（３５）が直接的に可動子（２３）により操作可能であり、
ｃ）主閉鎖部材（５３）と大きなシール直径を有する主弁座（５４）とを備えた主弁（３６）が間接的に可動子（２３）により操作可能であり、
ｄ）補助弁（３５）と主弁（３６）とが、電磁弁（１０）の向流側（２９）に絞られずに連通した弁室（２６）内に配置されており、
ｅ）補助弁（３５）及び主弁（３６）とが、可動子（２３）に対比して制限された行程で運動可能な１つの共通の閉鎖体（３７）を備えており、
ｆ）補助弁（３５）が、弁閉鎖体（３７）を貫通した少なくとも１つの孔（５５）を介して電磁弁（１０）の流出側（３０）に連通しており、かつ主弁（３６）が直に電磁弁（１０）の流出側（３０）に連通している形式のものにおいて、
ｇ）電磁弁（１０）が通電時に通流位置を占め、この通流位置で弁閉鎖体（３７）が、可動子（２３）に少なくとも間接的に係合している第２の復帰ばね（４０）の力により補助弁（３５）を遮断する位置に保持されていることを特徴とする電磁弁。
【請求項２】
可動子（２３）には同軸的に、弁閉鎖体（３７）を案内するスリーブ（３８）が受容されており、このスリーブの弁室側の底壁（４３）が弁閉鎖体（３７）により貫通されており、かつ圧縮コイルばねとして形成された第２の復帰ばね（４０）の一方の端部のための支持面を形成しており、かつ、ほぼ円筒状部分として形成された弁閉鎖体（３７）が、その極芯側の端面（４５）に補助弁（３５）のための補助弁座（４６）又は補助閉鎖部材（４７）を備えており、かつ、極芯側の端面（４５）の領域内には周方向に環状に延びるカラー（５０）が、第２の復帰ばね（４０）の他方の端部を予負荷下で係合させるために設けられており、かつ、弁閉鎖体（３７）が、スリーブ３８の底壁（４３）内で案内された軸部（５１）を備えており、この軸部が、極芯から遠い方の第２の端面の領域内では主弁（３６）の主閉鎖部材（５３）として形成されており、かつ、可動子（２３）に対する弁閉鎖体（３７）の相対運動が、ストッパにより可動子行程（ｈ）に比して小さな行程に制限されている請求項１記載の電磁弁。
【請求項３】
可動子（２３）には同軸的に、弁閉鎖体（３７）を案内するスリーブ（３８）が受容されており、このスリーブの弁室側の底壁（４３）が弁閉鎖体（３７）により貫通されており、かつ圧縮コイルばねとして形成された第２の復帰ばね（４０）の一方の端部のための支持面を形成しており、かつ、ほぼ杯状の薄板変形部分として形成された弁閉鎖体（３７）が、第２の復帰ばね（４０）の他方の端部を予負荷下で係合させるために極芯側に半径方向外向きに突出した縁（６４）を備えており、かつ、弁閉鎖体（３７）の底壁（６７）が内側で補助弁座（４６）として、かつ外側で主弁（３６）のための主閉鎖部材（５３）として形成されていて孔（５５）を備えており、かつ、弁閉鎖体（３７）の外套壁（６５）が管状の軸部として成形されており、この軸部内に、補助閉鎖部材（４７）としての球をタペット状の付加部（６６）に受容した可動子（２３）が係合しており、かつ、可動子（２３）に対する弁閉鎖体（３７）の相対運動が、ストッパにより可動子行程（ｈ）に比して小さな行程に制限されている請求項１記載の電磁弁。
【請求項４】
弁閉鎖体（３７）が主として円筒状部分として形成されており、この円筒状部分が極芯側の端面（４５）に補助弁（３５）の補助弁座（４６）又は補助閉鎖部材（４７）を、かつ極芯から遠い方の端面に主弁（３６）のための主閉鎖部材（５３）を備えており、かつ、弁閉鎖体（３７）の、両方の端面（４５，５２）の間に延びる軸部（５１）が、極芯側の部分で可動子（２３）の孔（７０）内に収容されており、この軸部（５１）には極芯側の端面（４５）の領域内に、圧縮コイルばねとして形成された第２の復帰ばね（４０）の一方の端部を係合させるための周方向で環状に延びるカラーが設けられており、かつ、弁閉鎖体（３７）の軸部（５１）が段（５６）の形成により極芯から遠い方の端面（５２）へ向けて減径しており、かつ、可動子（２３）の孔（７０）が円環状の板（８２）により閉鎖されており、この板上に第２の復帰ばね（４０）がその他方の端部で予負荷下で支持されており、かつ、弁閉鎖体（３７）の相対運動が、段と板との当接により可動子行程（ｈ）に比して小さい行程に制限されている請求項１記載の電磁弁。
【請求項５】
弁閉鎖体（３７）が主として円筒状部分として形成されており、この円筒状部分が極芯側の端面（４５）に補助弁（３５）の補助弁座（４６）又は補助閉鎖部材（４７）を、かつ極芯から遠い方の端面（５２）に主弁（３６）のための主閉鎖部材（５３）を備えており、かつ、弁閉鎖体（３７）の、両方の端面（４５，５２）の間に延びる軸部（５１）が、１つの段（５６）の後方で、極芯から遠い方の端面（５２）へ向けて増径されており、かつ、弁閉鎖体（３７）の軸部（５１）の直径の小さい方の部分（７６）にブッシュ（７７）がプレスばめされており、このブッシュが、極芯側に、第２の復帰ばね（４０）の一方の端部を係合せしめるための周方向で環状に延びるカラーを備えており、かつ、弁閉鎖体（３７）の軸部（５１）の直径の小さい方の部分（７６）が、可動子（２３）に受容されたスリーブ（３８）の底壁（４３）又は円環状の板（８２）を貫通しており、この円環状の板により、可動子（２３）の、軸部の部分（７６）を受容している孔（７０）が閉鎖されており、かつ、スリーブ（３８）の底壁（４３）又は板（８２）に第２の復帰ばね（４０）の他方の端部が予負荷下で支持されており、かつ、可動子（２３）に対する弁閉鎖体（３７）の相対運動が、ブッシュ（７７）の、カラー（７８）から遠い方の端面（７９）と、スリーブ（３８）の底壁（４３）又は板（８２）との当接により可動子行程（ｈ）に比して小さい行程（ｓ）に制限されている請求項１記載の電磁弁。
【請求項６】
弁閉鎖体（３７）が、直径を異にする２つの互いに接合された球（８８，８９）から成り、直径の小さい方の球（８８）が補助弁（３５）の補助閉鎖部材（４７）を、かつ直径の大きい方の球（８９）が主弁（３６）の主閉鎖部材（５３）を形成しており、かつ、両方の球（８８，８９）の間のくびれ内に、板状に形成されたばね（９０）が係合しており、このばねが、その外縁で可動子（２３）に固定されていて補助弁（３５）の補助閉鎖部材（４７）へ閉鎖力を作用せしめている請求項１記載の電磁弁。
【請求項７】
弁閉鎖体（３７）が主として円筒状部分として形成されており、この円筒状部分が、極芯側の端面（４５）に補助弁座（４６）又は補助閉鎖部材（４７）を、かつ極芯から遠い方の端面（５２）に主弁（３６）の主閉鎖部材（５３）を備えており、かつ、弁閉鎖体（３７）の、両方の端面（４５，５２）の間に延びる軸部（５１）が、極芯側の部分（７６）で可動子（２３）の孔（７０）内に受容されており、かつ、軸部（５１）の周溝（９５）内に、板状に形成されたばね（９０）が係合しており、このばねが、その外縁で可動子（２３）に固定されていて主弁（３５）に閉鎖力を作用せしめている請求項１記載の電磁弁。
【請求項８】
スリーブ（３８）が周側で可動子（２３）に差しはめられており、かつその底壁（４３）で、弁閉鎖体（３７）の軸部（５１）に形成された段（５６）のためのストッパを形成しており、又はスリーブ（３８）が、可動子（２３）の、極芯から遠い方の孔（７０）内にプレスばめされており、かつこの孔の孔底に面した端面（７２）で、弁閉鎖体（３７）のカラー（５０）のためのストッパを形成している請求項２又は３記載の電磁弁。
【請求項９】
可動子（２３）の、補助弁側の領域がスリーブ（３８）又は可動子（２３）の側方の孔（３９）を介して弁室（２６）に少なくとも間接的に連通している請求項２，３，４，５，６，７のいずれか１項記載の電磁弁。
【請求項１０】
補助弁（３５）の補助閉鎖部材（４７）が少なくとも間接的に可動子（２３）に、かつ補助弁座（４６）が弁閉鎖体（３７）に形成されており、又はその逆の位置に形成されている請求項２，３，４，５，７のいずれか１項記載の電磁弁。
【請求項１１】
補助閉鎖部材（４７）が、可動子（２３）に受容された球から成り、この球が閉鎖部材（３７）の中空円錐状に形成された補助弁座（４６）と協働している請求項１０記載の電磁弁。
【請求項１２】
補助弁座（４６）が可動子（２３）に形成されており、他面において弁閉鎖体（３７）が極芯側の端面（４５）に少なくともほぼ半球状に形成された補助閉鎖部材（４７）を備えている請求項１０記載の電磁弁。
【発明の詳細な説明】
【０００１】
【発明の属する技術分野】
本発明は、特に自動車のスリップ制御式液圧ブレーキ装置のマスタブレーキシリンダとポンプの吸込側との間で延びている吸込導管内に配置するための電磁弁であって、第１の復帰ばねの力に抗して極芯へ向かって電磁石により縦方向で運動させられる可動子が設けられており、補助閉鎖部材と小さなシール直径を有する補助弁座とから成る補助弁が直接的に可動子により操作可能であり、主閉鎖部材と大きなシール直径を有する主弁座とを備えた主弁が間接的に可動子により操作可能であり、補助弁と主弁とが、電磁弁の向流側に絞られずに連通した弁室内に配置されており、補助弁と主弁とが、可動子に対比して制限された行程で運動可能な１つの共通の弁閉鎖体を備えており、補助弁が、弁閉鎖体を貫通した少なくとも１つの孔を介して電磁弁の流出側に連通しており、かつ主弁が直に電磁弁の流出側に連通している形式のものに関する。
【０００２】
【従来の技術】
この種の電磁弁はすでに公知であり（アメリカ合衆国特許第４７８２８６２号明細書）、これによれば、主弁及び補助弁が電磁石の通電時にその閉鎖位置を占める。通電停止時に、まず可動子が、予負荷された復帰ばねの作用により持ち上げられて補助弁が開放され、他面において、主弁はなお閉じたままである。電磁弁の向流側から弁閉鎖体の絞り孔を介して流出側へ液体が通流して、弁閉鎖体を負荷している差圧を減少せしめる。可動子の運動の引き続く経過時に、可動子が、可動子に縦方向移動可能に支承されていて主弁及び補助弁のための共通の弁閉鎖体に固定的に結合されているピンのストッパに係合する。その際、可動子は復帰ばねの部分的に負荷軽減された状態で、差圧の減少に基づき減少した液圧的な閉鎖力により負荷されている弁閉鎖体を主弁の弁座から持ち上げて、電磁弁の流れ横断面を開放する。この公知の構成の欠点とするところは、可動子が比較的大きな行程を有していなければならないにもかかわらず、その行程の一部分しか弁閉鎖体の開放行程のために供用されないことにある。差圧が大きい場合には、復帰ばねが主弁を開放させるのに十分な力を作用することができないか、又は開放が所要の圧力低下に基づいて遅れて行われる危険性がある。
【０００３】
【発明が解決しようとする課題】
本発明の課題は、上述の欠点を排除することにある。
【０００４】
【課題を解決するための手段】
上記課題は本発明によれば、電磁弁が通電時に通流位置を占め、この通流位置で弁閉鎖体が、可動子に少なくとも間接的に係合する第２の復帰ばねの力により補助弁を遮断する位置に保持されていることにより解決される。
【０００５】
【発明の効果】
従来公知の電磁弁に対する本発明の利点とするところは、弁閉鎖体が主弁の開放後にばね操作されてその出発位置を占めること、要するに主弁の開放行程が可動子の全作動行程に相応していることにある。さらに、可動子行程の当初において可動子と極芯との間の作動空気隙間が大きい際には比較的わずかである磁力が、比較的低い液圧的な閉鎖力により負荷されている補助弁の開放のために供用され、他面において、可動子行程の経過につれて増大する磁力により可動子行程の第２の部分で液圧的に比較的高く負荷される主弁が確実に開放されることにより、電磁弁の通電時に行われる電磁弁の開放が信頼性のよい機能で行われる。
【０００６】
請求項２以下に記載の構成によれば、本発明の有利な実施態様及び改善が可能である。
【０００７】
請求項２，３，４，６，７に記載の本発明に基づく電磁弁の構成は、部品点数がわずかであって構造が簡単であることにより優れている。請求項５に記載の構成によれば、補助弁のための半径方向の組込スペースを小さくすることができる。
【０００８】
請求項８に記載の構成によれば、可動子へのスリーブの差しはめ深さもしくはプレスばめ深さを適当に選択することにより補助弁の行程を簡単に調節することができる。
【０００９】
請求項９に記載の構成によれば、補助弁の遅れのない開放が得られる。
【００１０】
請求項１０ないし１２項に記載の本発明に基づく電磁弁は補助弁の実施態様を示しており、その場合、通常は残磁性の低い鉄から成っているために強度的には負荷能力の小さな可動子は効果的には補助閉鎖部材として有利には焼き入れされた球を支持しており、他面において、電磁弁の磁気回路に属さない弁閉鎖体は負荷に応じて適正に選択された材料から成ることができる。
【００１１】
【発明の実施の形態】
次に図面に本発明の実施例を示し、以下に詳しく説明する。
【００１２】
図１に示された第１実施例は自動車のスリップ制御式液圧ブレーキ装置で使用される電磁弁１０であり、図面にはこのブレーキ装置のうち、圧力媒体のための貯蔵容器を備えたマスタブレーキシリンダ１１及び高圧ポンプ１３だけが示されている。この種のブレーキ装置は予備公開されていないドイツ連邦共和国特許公開第４４４１７９１号明細書に記載されている。このブレーキ装置はアンチロック制御の他にも、横方向スリップ制御（走行ダイナミック制御）と運転者操作制動時の助成（制動補助）とのための自動的な制動のためにも設計されている。それゆえ、マスタブレーキシリンダ１１と高圧ポンプ１３との間に延びている吸込導管１４内に位置する本発明に基づく電磁弁１０への主たる要求は、電磁弁が、マスタブレーキシリンダにより生じる制動圧に抗して開放されると共に比較的大きな流れ横断面を開放し、これにより、高圧ポンプ１３が、特に低温の際に十分に大きな容積流れを吐き出すことができることである。
【００１３】
電磁弁１０は電磁石１７を備えており、この電磁石は主としてコイル１８、ケーシング外套１９及び極芯２０から成る。極芯２０は第１の復帰ばね２２の力に抗して極芯２０へ向かって縦方向移動可能な可動子２３のための案内スリーブ２１に密に溶接されている。弁ブロック２４内に係合するこの案内スリーブ２１の他方の端部は弁体２５に密に結合されている。可動子２３と弁体２５との間には案内スリーブ２１内に第１の弁室２６が形成されており、この第１の弁室は絞られることなく案内スリーブ２１の開口２７とフィルタ２８とを介して電磁弁１０の向流側２９に連通している。向流側２９からはすで挙げた吸込導管１４がマスタブレーキシリンダ１１へ通じている。電磁弁１０の流出側３０は縦方向に穿孔された弁体２５の出口側に位置している。流出側３０は吸込導管１４を介して高圧ポンプ１３の吸込側に接続されている。電磁弁１０は第１の弁室２６の他に、極芯２０と可動子２３との間に形成された第２の弁室３１をも備えている。両方の弁室２６，３１は可動子２３の縦溝３２を介して互いに連通している。要するに、可動子２３は圧力媒体により囲繞されている。
【００１４】
電磁弁１０は向流側２９と流出側３０との間の連通を補助弁３５と主弁３６とにより開閉制御する。補助弁３５及び主弁３６は、１つの共通の弁閉鎖体３７を備えた座弁として形成されている。この座弁は可動子２３に固定されたスリーブ３８内に縦方向移動可能に収容されている。スリーブ３８の、補助弁３５の領域内に位置する横方向の開口３９を介して、スリーブの内室と第１の弁室２６とが連通している。スリーブ３８内には圧縮コイルばねとして形成された第２の復帰ばね４０が配置されており、この第２の復帰ばね４０は予負荷力により一方では弁閉鎖体３７に、かつ他方ではスリーブ３８に係合している。電磁弁１０の無通電時の図示の遮断位置では、比較的小さな弁横断面を有する補助弁３５と、これに対比して大きな弁横断面を有する主弁３６とが共に閉鎖されている。弁閉鎖体３７は可動子行程ｈに比して小さな行程ｓを有している。次に、電磁弁１０の補助弁３５、主弁３６及び弁閉鎖体３７の構造的な実施形態を、図２ないし図１１に示した実施例に基づいて以下に詳しく説明する。
【００１５】
可動子２３の周囲に同軸的に差しはめられたスリーブ３８は弁室側に底壁４３を備えており、この底壁４３の中央に円環状の開口４４が設けられている（図２）。スリーブ３８内に位置する弁閉鎖体３７はほぼ円筒状部分として形成されている。この弁閉鎖体３７はその極芯側の端面４５に中空円錐状に形成された補助弁座４６を備えている。この補助弁座４６には補助閉鎖部材４７が協働しており、この補助閉鎖部材は可動子２３にかしめ固定された焼き入れ鋼から成る球の形状に形成されている。補助弁４６及び補助閉鎖部材４７はあいまって補助弁３５を形成している。可動子２３の、補助弁側で開口のないスリーブ内へ開口した縦溝３２は第１の弁室２６への圧力媒体の接続を生ぜしめる。
【００１６】
弁閉鎖体３７を取り囲む第２の復帰ばね４０はその一方の端部でスリーブ３８の底壁４３に支持されている。この復帰ばね４０はその他方の端部で、周方向で環状に延びるように極芯側の端面４５の領域内で弁閉鎖体３７に形成されたカラー５０に係合している。弁閉鎖体３７はそのカラー５０によりスリーブ３８内で案内されている。同時な案内機能を受けもつ軸部５１がスリーブ３８の底壁４３内の開口４４を貫通している。この軸部５１は弁閉鎖体３７の極芯から遠い方の側の第２の端面５２の領域内では、主弁の、球面帯域状の主閉鎖部材５３として形成されている。この主閉鎖部材５３は中空円錐状に弁体２５に形成された主弁座５４と協働している。弁閉鎖体３７は、これを同軸的に貫通していて補助弁座４６内に開口した孔５５を備えており、従って補助弁３５はこの孔５５を介して直に電磁弁１０の流出側に接続されている。さらに、弁閉鎖体３７の軸部５１には段５６が形成されており、弁閉鎖体３７は行程制限のためにこの段によって、スリーブ３８の、ストッパを形成している底壁４３と協働する。
【００１７】
本電磁弁１０の作用は次の通りである。
【００１８】
電磁弁１０はコイル１８の通電により図示の遮断位置から通流位置へ切り換えられる。この通流位置で向流側２９が、開放された主弁３６により流出側３０に接続される。この切換時に可動子２３に作用する力は可動子行程ｈの当初では最も小さい値を有している。可動子が可動子行程を最も進んだ際に、換言すれば可動子が極芯２０に係合した際には、磁力が最大の値に達する。
【００１９】
電磁弁１０の向流側２９と流出側３０での圧力が同じ場合には、液圧的な閉鎖力が可動子２３及び弁閉鎖体３７に作用しない。それゆえ、磁力は電磁弁１０を開放するために第１の復帰ばね２２の予負荷力に打ち勝つだけでよい。その場合、主弁３６だけが開放される。補助弁３５は可動子行程中は閉鎖位置に停止している。
【００２０】
これに対して、電磁弁１０の閉鎖状態で、例えばマスタブレーキシリンダ１１の操作により、流出側３０に比して向流側２９に高い圧力が作用していると、可動子２３及び弁閉鎖体３７が圧力バランスを失い、換言すれば液圧的な閉鎖力が可動子と弁閉鎖体とに作用する。可動子２３に作用する閉鎖力は補助弁３５のシール面に依存しており、他面において弁閉鎖体３７に作用する閉鎖力は主弁３６のシール面から補助弁３５のシール面を差し引いた値に依存している。弁閉鎖体３７に作用する液圧的な閉鎖力は、主弁３６の横断面が大きいために、可動子２３に作用する閉鎖力に比して著しく大きい。
【００２１】
電磁弁１０における圧力差がわずかで、かつ弁閉鎖体３７に作用する閉鎖力が第２の復帰ばね４０の予負荷力の下方に位置すると、すでに述べたように、コイル１８の通電時に、主弁が可動子２３に関して弁閉鎖体３７の相対運動なしに開放される。電磁弁１０の向流側２９と流出側３０との間の圧力差が大きい場合には、弁閉鎖体３７に作用する液圧的な閉鎖力が復帰ばね４０の予負荷力に比して大きい。それゆえ、可動子行程ｈの当初で低い磁力は、極芯２０へ向かって可動子２３が運動する際に、補助弁３５の開放のために第１の復帰ばね２２及び第２の復帰ばね４０の予負荷力と可動子２３に作用する液圧的な閉鎖力とに打ち勝たなければならない。可動子運動の引き続く経過中に開放される補助弁３５により、いまや弁閉鎖体３７の孔５５を介して圧力媒体が流出側３０へ流れ、このことの結果、圧力差の減少と、弁閉鎖体３７に作用する閉鎖力の減少とが生じる。閉鎖力が第２の復帰ばね４０の力の下方の値まで低下すると、この復帰ばね４０が主弁３６を開放せしめる。しかし、弁閉鎖体３７が主弁３６を閉鎖する位置を保持するほどに液圧的な閉鎖力が依然として大きいと、可動子運動の引き続く経過中に弁閉鎖体の行程ｓ＝０の際にスリーブ３８の底壁４３が弁閉鎖体３７の軸部５１の段５６に当接する。可動子運動のこの過程で著しく大きな磁力は、可動子２３の慣性モーメントとあいまって、弁閉鎖体３７を弁体２５から持ち上げて主弁３６を開放することができる状態にある。第２の復帰ばね４０に貯蔵されていた力は、いまや著しく圧力バランスされた弁閉鎖体３７を可動子２３へ向けて、補助弁３５が閉鎖位置に達するまで運動せしめる。可動子開放行程の終わりで、要するに可動子２３が極芯２０に係合した際に、主弁３６は最大の流れ横断面を開放し、補助弁３５は弁閉鎖体３７の孔５５を遮断する位置を占める。
【００２２】
従って、向流側２９と流出側３０との間の圧力差が大きい場合には、補助弁３５は可動子行程ｈが開始されると直ちに可動子２３により直接的に開放され、他面において、主弁３６の開放は可動子２３が進んだ行程ｓの後に間接的に行われる。この弁閉鎖体の行程ｓは可動子２３へのスリーブ３８の差しはめ深さを適当に調節することにより調整することができる。電磁弁１０における圧力差が極めて大きい場合でも主弁３６の確実な開放が行われるように、弁閉鎖体の行程ｓは可動子行程ｈの値とほぼ同じ値に調整されることができる。このような調整時には、両方の復帰ばね２２，４０の力を差し引いた磁力が主弁３６の開放のための最大値の近傍で利用される。
【００２３】
本発明の別の実施例の以下の記載では、すでに記載した実施例との相違点だけが説明される。以下の図面に記載された要件で説明がないものは、図１及び図２に示された実施例の要件と共通しているものである。
【００２４】
図３に示す本発明に基づく電磁弁１０の実施例が、これまで説明した実施例と異なる点は、スリーブ３８が段３８を備え、この段が可動子２３の、極芯から遠い方の端面６０に座着することにより可動子２３に対する弁閉鎖体の行程ｓを規定していることにある。さらに、可動子２３のこの端面６０には同軸的に延びる環状溝６１が形成されており、この環状溝により、可動子２３の縦溝３２が切断されており、かつ補助弁３５へ圧力媒体を案内する接続が形成される。
【００２５】
図４に示された実施例では、可動子２３が外側に同軸的に差しはめられたスリーブ３８を備えており、このスリーブ３８内にほぼ杯状の薄板変形部分として形成された弁閉鎖体３７が縦方向移動可能に収容されている。弁閉鎖体３７は極芯側に半径方向外向きに突出した縁６４を第２の復帰ばね４０の係合のために備えている。弁閉鎖体３７の、縁６４を起点とする外套壁６５は管状の軸部として形成されており、この軸部内に、球から成る補助閉鎖部材４７をタペット状の付加部６６に受容した可動子２３が係合している。外套壁６５は弁体側で底壁６７へ移行しており、この底壁は内側で補助弁座４６として、かつ外側で主弁３６の主閉鎖部材５３として形成されている。底壁６７はさらに孔５５を備えており、この孔５５を介して補助弁３５が電磁弁１０の流出側３０に連通している。弁閉鎖体３７の外套壁６５にはさらに、スリーブ３８の底壁と協働して弁閉鎖体の行程制限に役立つ段５６が形成されている。さらに、スリーブ３８の、弁閉鎖体３７により貫通されている底壁４３には第２の復帰ばね４０が支持されている。図４に示す本実施例のその他の点は図２に示された実施例にほぼ相応している。
【００２６】
図５に示す実施例では、可動子２３が、極芯から遠い方の端面６０を起点として同軸的に延びる袋孔７０を備えている。この袋孔内に、これまで説明した実施例に比して直径の小さなスリーブ３８がプレスばめされている。このスリーブ３８は袋孔の出口側で延びる底壁４３を備えており、この底壁に弁閉鎖体３７を貫通させるための開口４４が設けられている。ほぼ円筒状部分として形成された弁閉鎖体３７は比較的細身に形成されていて、その軸部５１でスリーブ３８の底壁４３の開口４４を貫通している。弁閉鎖体３７は極芯側の端面４５の領域内に、環状に延びるカラー５０を備えており、このカラーにはスリーブ３８の底壁４３に支持された第２の復帰ばね４０が係合している。スリーブ３８は袋孔の孔底に面した端面７２により、弁閉鎖体３７のカラー５０のための行程制限用ストッパを形成している。袋孔７０の補助弁側の領域は弁閉鎖体３７のカラー５０に設けた少なくとも１つの溝７３と、スリーブ３８の開口４４とにより第１の弁室２６に連通している。
【００２７】
図６に示す実施例の弁閉鎖体３７は図５の実施例と著しく相応して形成されている。しかし、主たる相違点は、補助閉鎖部材４７が弁閉鎖体３７の極芯側の端面４５に半球状に凸設された部分として形成されており、かつ補助弁３５の補助弁座４６が可動子２３内の袋孔の孔底に一体形成されていることにある。
【００２８】
図７に示した実施例では、可動子２３の外側に差しはめられたスリーブ３８と、ほぼ円筒状部分として形成された弁閉鎖体３７とが設けられており、弁閉鎖体の軸部５１が段５６の後方で極芯から遠い方の端面５２の方向へ増径している。軸部５１の小直径の部分７６はスリーブの底壁４３の開口４４を貫通してスリーブの内室内へ突入しており、かつさらに可動子２３の袋孔７０内にも突入している。可動子２３の袋孔７０内には図５の実施例と同様に補助弁３５が設けられている。軸部５１の小直径の部分７６にはブッシュ７７が差しはめられており、このブッシュは極芯側に、周方向で環状に延びるカラー７８を第２の復帰ばね４０の係合のために備えている。この復帰ばね４０はこれまで述べたすべての実施例と同様に、スリーブ３８の底壁４３に支持されている。可動子２３に対する弁閉鎖体３７の相対運動はブッシュ７７の、カラー７８とは逆の側の端面７９がスリーブ３８の底壁３８に当接することにより、可動子行程ｈに比して小さい行程ｓに制限されている。さらに、スリーブ３８に側方の開口３９が設けられており、この開口を介して可動子２３の補助弁側の領域が弁室２６に連通している。
【００２９】
図８に示された実施例では、弁閉鎖体３７が図７の実施例のブッシュと同形のブッシュ７７を備えている。主たる相違点は、弁閉鎖体３７の、ブッシュ７７を備えた小直径の部分７６が、スリーブ３８なしに可動子２３の袋孔７０内に係合していることにある。この袋孔７０は開口側で、弁閉鎖体３７の小直径の部分７６により貫通された円環状の板８２により閉鎖されている。可動子２３につば出し固定されたこの板８２は図７の実施例のスリーブ３８の底壁の代わりを成すものである。それゆえ、この板８２には第２の復帰ばね４０が支持されている。この板はさらにブッシュ７７の端面７９のためのストッパとしても役立っている。袋孔の補助弁側の領域は可動子２３の側方の開口を介して弁室２６に連通している。
【００３０】
図９に示す実施例の弁閉鎖体３７は図１から図３までの実施例のカラー５０と軸部５１の段５６とに関してほぼ同様に形成されている。しかし、弁閉鎖体３７の軸部５１の極芯側の部分７６は図８に示す実施例のように可動子２３の袋孔７０内に収容されている。袋孔７０は開口側で、可動子２３内にかしめ固定された円環状の板８２により閉鎖されている。この板８２は段５６と協働して弁閉鎖体３７のための行程制限機能を果たしている。さらに、この板８２には第２の復帰ばね４０が支持されている。袋孔７０と弁室２６との間の圧力媒体の接続のために少なくとも１つの切欠が板８２に設けられている。
【００３１】
図１０に示された実施例では、弁閉鎖体３７が、異なる直径を有する２つの互いに接合された球８８，８９から成る。小直径の球８８は補助弁３５の補助閉鎖部材４７を形成しており、その補助弁座４６は可動子２３の袋孔７０内に配置されている。大直径の球８９は主弁３６の主弁閉鎖部材５３を形成していて主弁座５４と協働している。補助弁３５は弁閉鎖体３７の両方の球８８，８９を貫通した孔５５を介して電磁弁１０の流出側３０に連通している。両方の球８８，８９の間のくびれ内には板状に形成されたばね９０が係合しており、この板９０はその外縁で、可動子２３につば出し固定された保持リング９１に固定されている。板状のばね９０に負荷された予負荷力が補助弁３５の補助閉鎖部材４７へ閉鎖力を作用する。ばね９０に設けられた図示されていない切欠を介して、補助弁３５と弁室２６との間の圧力媒体の接続が行われている。
【００３２】
図１１に示す実施例の弁閉鎖体３７ははほぼ円筒状部分として形成されており、この円筒状部分は図６の実施例と同様に極芯側の端面４５に補助弁３５の補助閉鎖部材４７を、かつ極芯から遠い方の端面５２に主弁３６の主閉鎖部材５３を備えている。補助弁３５の補助弁座４６は可動子２３の袋孔７０内に収容された板９４に設けられている。しかし、これまで説明した実施例の大多数に相応して、補助閉鎖部材４７が可動子２３に、かつ補助弁座４６が弁閉鎖体３７に設けられてもよい。弁閉鎖体３７の、両方の端面４５，５２の間に延びる軸部５１は極芯側の部分７６で可動子２３の袋孔７０内に収容されている。軸部５１の周溝９５内には板状に形成されたばね９０が係合しており、このばね９０は図１０に示した実施例と同様にその外縁で、可動子２３に設けた保持リング９１に固定されており、かつ補助弁３５へ閉鎖力を作用している。可動子２３の側方の開口３９を介して補助弁３５から弁室２６への接続が行われている。
【図面の簡単な説明】
【図１】直に可動子により操作される補助弁とこの補助弁により予備制御された主弁とを備えた本発明の１実施例の電磁弁の縦断面図である。
【図２】本発明の別の実施例を図１の弁閉鎖部材を備えた補助弁及び主弁の領域を拡大して示す縦断面図である。
【図３】本発明のさらに別の実施例を図２と同様に拡大して示す縦断面図である。
【図４】本発明のさらに別の実施例を図２と同様に拡大して示す縦断面図である。
【図５】本発明のさらに別の実施例を図２と同様に拡大して示す縦断面図である。
【図６】本発明のさらに別の実施例を図２と同様に拡大して示す縦断面図である。
【図７】本発明のさらに別の実施例を図２と同様に拡大して示す縦断面図である。
【図８】本発明のさらに別の実施例を図２と同様に拡大して示す縦断面図である。
【図９】本発明のさらに別の実施例を図２と同様に拡大して示す縦断面図である。
【図１０】本発明のさらに別の実施例を図２と同様に拡大して示す縦断面図である。
【図１１】本発明のさらに別の実施例を図２と同様に拡大して示す縦断面図である。
【符号の説明】
１０  電磁弁、  １１  マスタブーキシリンダ、  １２  貯蔵容器、  １３  高圧ポンプ、  １４  吸込導管、  １７  電磁石、  １８  コイル、  １９  ケーシング外套、  ２０  極芯、  ２１  案内スリーブ、  ２２  復帰ばね  ２３可動子、  ２４  弁ブロック、  ２５  弁体、  ２６  弁室、  ２７  開口、２８  フィルタ、  ２９  向流側、  ３０  流出側、  ３１  弁室、  ３２  縦溝、  ３５  補助弁、  ３６  主弁、  ３７  弁閉鎖体、  ３８  スリーブ、３９  開口、  ４０  復帰ばね、  ４３  底壁、  ４４  開口、  ４５  端面、  ４６  補助弁座、  ４７  補助閉鎖部材、  ５０  カラー、  ５１  軸部、５２  端面、  ５３  主閉鎖部材、  ５４  主弁座、  ５５  孔、  ５６  段、  ５９  段、  ６０  端面、  ６１  環状溝、  ６４  縁、  ６５  外套壁、６６  付加部、  ６７  底壁、  ７０  袋孔、  ７２  端面、  ７３  溝、７６  部分、  ７７  ブッシュ、  ７８  カラー、  ７９  端面、  ８２  板、  ８５  切欠、  ８８，８９  球、  ９０  ばね、  ９１  保持リング、  ９４  板
【図１】
0003787392.tif 000002
【図２】
0003787392.tif 000003
【図３】
0003787392.tif 000004
【図４】
0003787392.tif 000005
【図５】
0003787392.tif 000006
【図６】
0003787392.tif 000007
【図７】
0003787392.tif 000008
【図８】
0003787392.tif 000009
【図９】
0003787392.tif 000010
【図１０】
0003787392.tif 000011
【図１１】
0003787392.tif 000012